(57)【要約】【課題】  ヒンジ機構によって回動可能に支持された基板ボックスに対し後方への外力が作用したときには、弾性係止体と係合体との係合が外れ難くすることができる遊技機を提供する。【解決手段】  遊技機の後側に設けられたボックス装着部１０２に対し、回路基板１２２を収納する基板ボックス１２０が装着される。基板ボックス１２０は、その一側においてヒンジ機構のヒンジピン１３８を中心として回動可能に装着さている。【選択図】        図５
2005279261.tif 000002
【特許請求の範囲】
【請求項１】
遊技機の後側に設けられたボックス装着部に対し、回路基板を収納する基板ボックスが装着された遊技機であって、
前記基板ボックスは、その一側においてヒンジ機構によって回動可能に装着さていることを特徴とする遊技機。
【発明の詳細な説明】
【技術分野】
【０００１】
この発明は、例えば、パチンコ機、スロットマシン等の遊技機に関し、詳しくは、遊技機の後側に設けられたボックス装着部に対し、回路基板を収納する基板ボックスが装着された遊技機に関する。
【背景技術】
【０００２】
従来、パチンコ機、スロットマシン等の遊技機において、遊技機の後側に設けられたボックス装着部に対し、回路基板を収納する基板ボックスが、その上縁部において、ヒンジ機構の左右方向にヒンジ軸を中心として回動可能に支持された構造のものも知られている（例えば、特許文献１参照）。
また、基板ボックスに収納された回路基板上に、基板ボックスの後側から露出されかつ接続線の端末コネクタが抜き差しされる基板コネクタが配設された構造のものが知られている。
【特許文献１】特許第３４３４４９８号公報
【発明の開示】
【発明が解決しようとする課題】
【０００３】
前記したように、ボックス装着部に対し、基板ボックスを、ヒンジ機構の左右方向にヒンジ軸を中心として後方へ回動可能に支持したものにおいては、基板ボックスを後方へ回動することで、その基板ボックスの裏面を目視によって容易に点検することができる。
一方、基板ボックスを、ヒンジ機構のみによって支持した状態に放置すると、ボックス装着部に対し、基板ボックスが、ヒンジ機構のヒンジ軸を中心として不測に揺動する場合がある。
このため、ボックス装着部に沿う装着位置に基板ボックスを保持するために、ボックス装着部に対し、基板ボックスをねじを用いて締め付けることが考えられる。
しかしながら、ボックス装着部に基板ボックスをねじを用いて締め付ける構造にすると、ねじの締め付けや取り外しが厄介となる。
そこで、基板ボックスとボックス装着部との相互に、基板ボックスが装着位置に配置されたときに弾性的に係合する弾性係止体と、その弾性係止体に係脱可能に係合する係合体とを設けることが考えられる。
ところで、弾性係止体と係合体との係合力によって、基板ボックスを装着位置に保持した場合、基板ボックス内の回路基板上に配設された基板コネクタに対し接続線の端末コネクタを抜き外すときなどにおいて、基板ボックスに対し後方への外力が作用すると、弾性係止体が弾性変形されて係合体との係合が外れることがある。
この場合には、接続線の端末コネクタを抜き外し動作によって基板ボックスがヒンジ機構のヒンジ軸を中心として後方へ回動する。
このため、基板ボックス内の回路基板上の基板コネクタに対する接続線の端末コネクタの抜き外し作業が厄介となる。
そこで、弾性係止体の弾性力を高め、係合体との係合力を増大させることで、弾性係止体と係合体との係合が不測に外れることを防止することが考えられる。
しかしながら、弾性係止体の弾性力を高めると、その弾性係止体と係合体とを係合させたり、あるいは係合を外すことが困難となる。
【０００４】
この発明の目的は、前記問題点に鑑み、弾性係止体と係合体との係合及びその係合解除を容易に行うことができるとともに、基板ボックスに対し後方への外力が作用したときには、弾性係止体と係合体との係合を外れ難くすることができる遊技機を提供することである。
【課題を解決するための手段】
【０００５】
前記目的を達成するために、請求項１の発明に係る遊技機は、
「遊技機の後側に設けられた合成樹脂製のボックス装着部に対し、回路基板を収納する合成樹脂製の基板ボックスが装着された遊技機であって、
前記回路基板上には、前記基板ボックスの後側から露出されかつ接続線の端末コネクタが抜き差しされる基板コネクタが配設され、
前記基板ボックスは、その一側においてヒンジ機構によって支持されることで、前記ボックス装着部に沿う装着位置と、前記ヒンジ機構のヒンジ部を中心として回動される回動位置と、に回動可能に装着され、
前記基板ボックスと前記ボックス装着部との間には、前記基板ボックスが回動位置から装着位置に配置されるときに弾性的に係合して前記基板ボックスを装着位置に保持するための装着用係止手段が設けられ、
前記装着用係止手段は、前記ヒンジ機構のヒンジ部を中心とする前記基板ボックスの回動方向と交差する方向に撓み変形する弾性係止体と、前記基板ボックスが回動位置から装着位置に回動されるときに前記弾性係止体を撓み変形させて通過させ、前記基板ボックスが装着位置に配置されたときに前記弾性係止体の復元を許容しかつその弾性係止体の係止部と前後に重なって係合する係合体と、を備え、
前記基板ボックスに対する後方への外力が前記弾性係止体の係止部と係合体の係合部との係合部分に作用したときには、前後に重なって係合している前記弾性係止体の係止部と前記係合体の係合部とのうち、前記基板ボックスに設けられた一方の部分の後側が、前記ボックス装着部に設けられた他方の部分の前側に当接することで、前記弾性係止体の係止部が前記係合体の係合部から外れる方向への撓み変形を抑制して前記基板ボックスの回動位置への回動を禁止する構成にし、
前記弾性係止体には、その係止部が係合体の係合部から外れる方向へ変位させるための操作部が一体に突出されていることを特徴とする遊技機。」
を要旨とするものである。
【０００６】
前記構成において、基板ボックスの裏面を目視によって点検する場合、まず、弾性係止体を、その係止部が係合体の係合部から外れる方向に操作部によって変位させることで、弾性係止体の係止部と係合体の係合部との係合を容易に解除することができる。
次に、基板ボックスを、ヒンジ機構のヒンジ部を中心として回動して任意の回動位置に配置することで、基板ボックスの裏面を目視によって容易に点検することができる。
また、回動位置に配置された基板ボックスを、ボックス装着部に沿う元の装着位置に向けて回動することで、弾性係止体が撓み変形しながら係合体の係合部を通過する。その後、基板ボックスが装着位置に配置されることで、弾性係止体が復元し、その弾性係止体の係止部と、係合体の係合部とが前後に重なって係合する。そして、弾性係止体の係止部と係合体の係合部との係合力によって、基板ボックスが装着位置に保持される。
さて、基板ボックス内の回路基板上に配設された基板コネクタに対し接続線の端末コネクタを抜き外すときなどにおいて、基板ボックスに対し後方への外力が作用すると、その外力が弾性係止体の係止部と係合体の係合部との係合部分に作用する。
この際、前後に重なって係合している弾性係止体の係止部と係合体の係合部とのうち、基板ボックスに設けられた一方の部分の後側が、基板装着部に設けられた他方の部分の前側に当接する。これによって、弾性係止体の係止部が係合体の係合部から外れる方向への弾性係止体の撓み変形が抑制されて基板ボックスの回動位置への移動が禁止される。この結果、弾性係止体の係止部と係合体の係合部とを係合状態を保つことができ、基板ボックスを装着位置に強固に保持することができる。
【０００７】
請求項２の発明に係る遊技機は、
「請求項１に記載の遊技機であって、
弾性係止体は、基板ボックスの周壁部のうちの自由端側に位置する側壁外面から片持ち梁状に一体に突設され、
係合体は、ボックス装着部から後方に向けて一体に突設されていることを特徴とする遊技機。」
を要旨とするものである。
【０００８】
前記構成において、基板ボックスの周壁部のうちの自由端側に位置する側壁外面から弾性係止体が片持ち梁状に一体に突設されることで、その弾性係止体の係止部と係合体の係合部との係合を解除した後、基板ボックスを、ヒンジ機構のヒンジ部を中心として後方へ回動する操作を片手操作で容易に行うことができる。
すなわち、ボックス装着部に弾性係止体を形成した場合には、一方の手で弾性係止体の係止部と係合体の係合部との係合を解除し、反対側の手で基板ボックスを、ヒンジ機構のヒンジ部を中心として後方へ回動操作しなければならず、その作業が厄介となるが、前記したようにして、片手操作で容易に行うことができ、作業性の向上を図ることができる。
【０００９】
請求項３の発明に係る遊技機は、
「請求項２に記載の遊技機であって、
弾性係止体は、その自由端の幅方向の両肩部に係止部が形成され、幅方向の中央部に操作部が一体に突出されていることを特徴とする遊技機。」
を要旨とするものである。
【００１０】
前記構成において、弾性係止体の自由端の幅方向の両肩部に係止部が形成されることで、係合体の係合部に対し係合不良なく良好に係合させることができる。
また、弾性係止体の自由端の幅方向の中央部に突出された操作部によって、弾性係止体の係止部を係合体の係合部から外れる方向に容易に変位させることができ、係合解除の操作性に優れる。
【００１１】
請求項４の発明に係る遊技機は、
「請求項２又は３に記載の遊技機であって、
係合体は、弾性係止体に対向してボックス装着部から後方に向けて一体に突設された立ち壁部と、その立ち壁部の両側部から前記弾性係止体の両側部を覆うようにして一体に形成された側壁部と、を備えていることを特徴とする遊技機。」
を要旨とするものである。
【００１２】
前記構成において、係合体の両側壁部によって弾性係止体の両側部を覆って保護することができ、弾性係止体に異物が当たって損傷されたり、あるいは係合が外れることを防止することができる。
【発明の効果】
【００１３】
この発明によれば、弾性係止体と係合体との係合及び係合解除を容易に行うことができるとともに、基板ボックスに対し後方への外力が作用したときには、弾性係止体と係合体と係合を外れ難くすることができる。ひいては、基板ボックス内の回路基板上に配設された基板コネクタに対する接続線の端末コネクタの抜き外し作業を容易に行うことができる。
【発明を実施するための最良の形態】
【００１４】
次に、この発明を実施するための最良の形態を実施例にしたがって説明する。
【実施例】
【００１５】
図１は遊技機の外枠の一側に本体枠が開かれその本体枠の一側にガラス扉が開かれた状態で示す斜視図である。図２は遊技機の本体枠に各種装置及び部材が装着された状態を斜め右上後方から示す斜視図である。図３は下皿用球誘導体に基板ボックスが装着された状態で示す斜視図である。図４は下皿用球誘導体に基板ボックスが装着された状態で示す正面図である。図５は図４のＶ−Ｖ線に基づく平断面図である。図６は基板ボックスの弾性係止体が、その傾斜面において、係合体の係合部の先端部に接して滑走する状態を示す作用説明図である。図７は基板ボックスの弾性係止体の操作部を押し込み操作して係合体の係合部との係合が解除された状態を示す作用説明図である。図８は図４のＶＩＩＩ−ＶＩＩＩ線に基づく側断面図である。図９は下皿用球誘導体と基板ボックスとを分離した状態で示す斜視図である。図１０はインタフェース基板が装着された基板ボックスのベース部材とカバー部材とを分離した状態で示す斜視図である。図１１は基板ボックスのベース部材、インタフェース基板及びカバー部材とを分離した状態で示す斜視図である。図１２は下皿用球誘導体に対し基板ボックスがヒンジピンを中心として回動された状態で示す斜視図である。図１３は本体枠の上隅部の第１、第２基板装着部に分電基板及び外部端子基板がそれぞれ装着された状態で示す斜視図である。図１４は本体枠の上隅部の第１、第２基板装着部と分電基板及び外部端子基板が分離された状態で示す斜視図である。図１５は分電基板と基板収納ボックスとを分離した状態で示す斜視図である。図１６は分電基板が収納された基板収納ボックスを示す正面図である。図１７は図１６のＸＶＩＩーＸＶＩＩに基づく基板収納ボックスの断面図である。なお、説明の便宜上、遊技機において遊技者側を前、反対側を後として説明する。
【００１６】
［遊技機の概要について］
図１と図２に示すように、遊技機としてのパチンコ機は、外枠１０、本体枠２０、ガラス扉３０、遊技盤５１等を備えて構成されている。
外枠１０は、上下左右の枠材によって縦長四角形の枠状に形成され、同外枠１０の前側下部には、本体枠２０の下面を受ける下受板１５を有している。
外枠１０の前面の片側には、本体枠開閉用ヒンジ機構１９によって本体枠２０が前方に開閉可能に装着されている。
【００１７】
［本体枠について］
図１と図２に示すように、本体枠２０は、前枠体２１、遊技盤装着枠５０及び機構装着体７０を合成樹脂材によって一体成形することで構成されている。
図１に示すように、本体枠２０の前枠体２１は、外枠１０前側の下受板１５を除く外郭形状に対応する大きさの矩形枠状に形成されている。
図１と図２に示すように、前枠体２１の前側において、遊技盤装着枠５０よりも下方に位置する前枠体２１の前下部領域の一側寄りにはスピーカボックス部２６が一体に形成され、そのスピーカボックス部２６の前側開口部には、同開口部を塞ぐようにしてスピーカ装着板２７が装着されている。そして、スピーカ装着板２７にはスピーカ２８が装着されている。
また、図１に示すように、前枠体２１前面の下部領域内において、その上半部分には発射レール２２が傾斜状に装着されている。
また、前枠体２１前面の下部領域内の下半部分には下部前面部材２３が装着されている。そして、下部前面部材２３の前面の略中央部には、下皿２４が設けられ、片側寄りには操作ハンドル２５が設けられている。
【００１８】
［ガラス扉について］
図１に示すように、前枠体２１の前面の片側には、その前枠体２１の上端から下部前面部材２３の上縁にわたる部分を覆うようにしてガラス扉３０が扉開閉用ヒンジ機構２９によって前方に開閉可能に装着されている。ガラス扉３０のヒンジ機構２９と反対側に自由端側の後側には、施錠装置４０の扉施錠フック４２に係脱可能に係合してガラス扉３０を閉じ状態に施錠する閉止具３３が設けられている。
また、ガラス扉３０の略中央部には、遊技盤５１の遊技領域５５を前方から透視可能な略円形の開口窓３０ａが形成されている。また、ガラス扉３０の後側には開口窓３０ａよりも大きき矩形枠状をなす窓枠３１が設けられ、その窓枠３１にはガラス板、透明樹脂板等の透明板３２が装着されている。
また、ガラス扉３０の前面の略全体は、ランプ等が内設された前面装飾部材によって装飾され、同ガラス扉３０の前面の下部には上皿（図示しない）が形成されている。
【００１９】
［施錠装置について］
図１に示すように、前枠体２１のヒンジ機構と反対側の自由端側の後側には、外枠１０に対し本体枠２０を施錠する機能と、本体枠２０に対しガラス扉３０を施錠する機能とを兼ね備えた施錠装置４０が装着されている。
すなわち、この実施例において、施錠装置４０は、外枠１０に設けられた閉止具１７に係脱可能に係合して本体枠２０を閉じ状態に施錠する上下複数の本体枠施錠フック４１と、ガラス扉３０の自由端側の後側に設けられた閉止具３３に係脱可能に係合してガラス扉３０を閉じ状態に施錠する上下複数の扉施錠フック４２と、遊技機の前方から鍵が挿入されて解錠操作可能に、前枠体２１及び下部前面部材２３を貫通して露出されたシリンダー錠４３と、を備えている。
そして、シリンダー錠４３の鍵穴に鍵が挿入されて一方向に回動操作されることで本体枠施錠フック４１と外枠１０の閉止具１７との係合が外れて本体枠２０が解錠され、これとは逆方向に回動操作されることで、扉施錠フック４２とガラス扉３０の閉止具３３との係合が外れてガラス扉３０が解錠されるようになっている。
【００２０】
［本体枠の遊技盤装着枠と遊技盤について］
図１と図２に示すように、本体枠２０の遊技盤装着枠５０は、前枠体２１の後側に設けられかつ遊技盤５１が前方から着脱交換可能に装着されるようになっている。
遊技盤５１は、遊技盤装着枠５０の前方から嵌込まれる大きさの略四角板状に形成されている。遊技盤５１の盤面（前面）には、外レールと内レールとを備えた案内レール５２が設けられ、その案内レール５２の内側に遊技領域５５が区画形成されている。
遊技盤５１には、その遊技領域５５内において、遊技に関する役物装置、例えば、センタ役物と呼ばれる役物装置５６が装着され、その役物装置５６の略中央部に形成された開口部に臨んで図柄表示装置（例えば、液晶表示器、ＥＬ表示器，プラズマ表示器，ＣＲＴ等）５７が装着されている。
また、遊技盤５１の遊技領域５５内には、入賞装置、風車器、誘導釘、ランプ装飾部材等の各種の装備品が配設されている。なお、遊技盤５１の後側には、集合樋、主制御基板ボックス、副制御基板ボックス（図示しない）が配置されている。
【００２１】
［本体枠の機構装着体、球タンク、タンクレール及び球払出装置について］
図２に示すように、本体枠２０の機構装着体７０の上部には、球タンク７１が配置され、その球タンク７１の下方に連通してタンクレール７２が傾斜状に配置されている。
また、機構装着体７０の片側には、タンクレール７２の下傾端に連通する球通路を備えかつ賞球及び貸球を上皿に払い出す球払出装置７５が配置されている。
また、本体枠２０の前枠体２１の後側において、遊技盤装着枠５０よりも下方に位置する前枠体２１の後下部領域の片側（図２に向かって左側）には、発射レール４２の下傾端部の発射位置に送られた球を発射するための発射ハンマー（図示しない）を作動する発射モータ８２を備えた球発射装置８０が配置されている。
また、前枠体２１の後下部領域の略中央部には、電源基板を有する電源基板ボックス（図示しない）が装着され、その電源基板ボックスの後側に重ね合わされた状態で払出制御基板９６を有する払出制御基板ボックス９５が装着されている。
【００２２】
［本体枠の後側下部の通路構成部材としての下皿用球誘導体について］
図２と図３に示すように、本体枠２０の前枠体２１の後下部領域の他側寄り部分（ヒンジ寄り部分）には、そのスピーカボックス部２６の後段差部の凹み部分において通路構成部材としての下皿用球誘導体１０１が装着されている。
下皿用球誘導体１０１は、球払出装置７５の賞球及び貸球用球通路から上皿連絡路を経て上皿（図示しない）に払い出された球が満杯になったときに、上皿連絡路の球を下皿２４に導くためのものである。
また、下皿用球誘導体１０１は、透明（又は不透明）な合成樹脂材によって形成され、その後壁内面に上皿連絡路と下皿とを連通する球通路（図示しない）が形成されている。
【００２３】
［回路基板としてのインタフェース基板について］
図３と図４に示すように、下皿用球誘導体１０１には、その後壁外面をボックス装着面１０２として、インタフェース基板（この発明の回路基板に相当する）１２２を収納している基板ボックス１２０が装着されている。
インタフェース基板１２２は、球貸に関する信号を、遊技機に隣接して設置される球貸機（図示しない）と払出制御基板９６との間で送受信可能に電気的に接続するものであり、図１０と図１１に示すように、インタフェース基板１２２の表面（実装面）には各種の回路構成部品、基板コネクタ１２３、１２４、１２５、フューズ１２６等が配設されている。
また、図１０に向かってインタフェース基板１２２の下部中央部に配設された基板コネクタ１２３には、遊技機に隣接して設置される球貸機（図示しない）に対する接続線の端末コネクタが差し込まれ、インタフェース基板１２２の左側寄り配設された基板コネクタ１２４には、払出制御基板９６に対する接続線の端末コネクタが差し込まれ、インタフェース基板１２２の右側寄り配設された基板コネクタ１２５には、後述する分電基板１６１に対する接続線の端末コネクタが差し込まれるようになっている。
【００２４】
［回路基板としてのインタフェース基板の基板ボックスについて］
図９〜図１１に示すように、基板ボックス１２０は、ベース部材１３０とカバー部材１５０とを備え、これらベース部材１３０及びカバー部材１５０は透明な合成樹脂材によってそれぞれ形成されている。
また、この実施例において、ベース部材１３０及びカバー部材１５０は同一材質の透明な合成樹脂材（例えば、ポリカーボネート樹脂材）によってそれぞれ形成されている。
そして、基板ボックス１２０は、そのベース部材１３０において、下皿用球誘導体１０１の後壁外面をボックス装着面１０２として回動可能（開閉可能）にかつ着脱可能に装着されている。
【００２５】
［基板ボックスのヒンジ機構について］
図９に示すように、ボックス装着部としての下皿用球誘導体１０１と、基板ボックス１２０のベース部材１３０との間の左右両縁部のうちの一方（図９に向かって右側）には、基板ボックス１２０を回動可能に支持するヒンジ機構を構成する複数（図９においては上下各一対）のヒンジ体１１１、１３７がそれぞれの部材と一体成形されている。
この実施例において、下皿用球誘導体１０１のボックス装着面１０２の一側に、ベース部材１３０の各ヒンジ体１３７の下面を支承する支承面を上面に有するヒンジ体１１１がが一体に形成され、これら一対のヒンジ体１１１には、ヒンジ孔１１２が上下方向に同一中心線上に貫設されている。
一方、図９〜図１１に示すように、ベース部材１３０は、底板部１３１と周壁部１３２とを一体に備えた箱形状に形成され、その周壁部１３２の一側壁１３２ａに、上下一対のヒンジ体１３７が一体に形成されている。そして、これら一対のヒンジ体１３７の下面には、ヒンジ孔１１２の上方から挿脱可能に嵌挿されるヒンジピン１３８が同一中心線上に突設されている。
【００２６】
［基板ボックスの装着用係止手段について］
図５と図１０に示すように、ボックス装着部としての下皿用球誘導体１０１と基板ボックス１２０のベース部材１３０との間の左右両縁部のうちの他方（図５に向かって左側の自由端側）には、弾性的に係脱可能に係合して下皿用球誘導体１０１のボックス装着面１０２に対し基板ボックス１２０を装着状態に保持するための装着用係止手段を構成する係合体１１５と、弾性係止体１３９が合成樹脂材によってそれぞれの部材と一体成形されている。
この実施例において、図５と図９に示すように、下皿用球誘導体１０１のボックス装着面１０２の所定位置に、後方に向けて突出する係合体１１５が一体に形成されている。
また、係合体１１５は、次に詳述する弾性係止体１３９に対向してボックス装着面１０２から後方に向けて一体に突設された立ち壁部１１５ａと、その立ち壁部１１５ａの両側部から弾性係止体１３９の両側部を覆うようにして一体に形成された側壁部１１５ｂと、を備えている。
そして、立ち壁部１１５ａの後端の上下部（両側壁部１１５ｂの後端の境界部近傍）に、弾性係止体１３９の係止部１４０に係脱可能に係合する一対の爪状の係合部１１６が一体に形成されている。
また、この実施例において、係合体１１５の立ち壁部１１５ａの外面には補強用のリブが１１５ｃが一体に形成され、これによって係合体１１５の剛性が高められている。
【００２７】
一方、図５と図１０に示すように、基板ボックス１２０には、同基板ボックス１２０の回動方向と交差する方向に弾性変形（撓み変形）する弾性係止体１３９が一体に形成されている。
この実施例において、基板ボックス１２０のベース部材１３０の周壁部１３２のうちの自由端側に位置する他側壁１３２ｂの外面の根元部近傍から後方に向けて傾斜状をなして弾性係止体１３９が片持ち梁状に一体に突設されている。
弾性係止体１３９には、その自由端の幅方向の両肩部に、係合体１１５の両係合部１１６に係脱可能に係合する係止部（係止面）１１６が形成されている。
そして、基板ボックス１２０に対する後方への外力が弾性係止体１３９の係止部１４０と、係合体１１５の係合部１１６との係合部分に作用したときには、前後に重なって係合している弾性係止体１３９の係止部１４０と係合体１１５の係合部１１６とのうち、基板ボックス１２０に設けられた弾性係止体１３９の係止部１４０の後側が、ボックス装着部としての下皿用球誘導体１０１に設けられた係合体１１５の係合部１１６の前側に当接することで、弾性係止体１３９の係止部１４０が係合体１１５の係合部１１６から外れる方向への弾性変形（撓み変形）を抑制して基板ボックス１２０の回動位置への回動を禁止する構成にしてある。
すなわち、この実施例において、基板ボックス１２０に対する後方への外力が弾性係止体１３９の係止部１４０と、係合体１１５の係合部１１６との係合部分に作用したときには、弾性係止体１３９の係止部１４０が係合体１１５の係合部１１６に当接し、そのため、弾性係止体１３９は食い込む方向に変位しようとし、これによって、係合体１１５の係合部１１６から外れる方向への弾性係止体１３９の弾性変形が抑制されて基板ボックス１２０の回動位置への回動を禁止する構成にしてある。
また、弾性係止体１３９の自由端の幅方向の中央部には操作部１４１が外方に向けて張り出された状態で一体に突出されている。
【００２８】
［回路基板としてのインタフェース基板の装着構造について］
基板ボックス１２０のベース部材１３０とカバー部材１５０のうち、一方の部材にはインタフェース基板１２２を着脱可能に保持する基板係止部を構成する係止突部１３４及び弾性係止片１３５が合成樹脂材によって一方の部材に一体成形されている。そして、基板ボックス１２０内には、下皿用球誘導体１０１の球通路の球による静電気の影響を避けるために、下皿用球誘導体１０１のボックス装着面１０２から所定距離だけ離れた位置においてインタフェース基板１２２が収納されるようになっている。
【００２９】
この実施例において、図５と図１１に示すように、ベース部材１３０の周壁部１３２の先端部内周には、インタフェース基板１２２が嵌込まれる基板嵌込部１３３がインタフェース基板１２２の厚さ寸法と略同じ深さ寸法をもって形成されている。
ベース部材１３０の周壁部１３２の四辺のうち一方（左右）で相対する両側壁部１３２ａ、１３２ｂの先端部には、基板嵌込部１３３に嵌込まれたインタフェース基板１２２の実装面の周縁部に係合する基板係止部を構成する係止突部１３４及び弾性係止片１３５が一体に形成されている。
基板係止部を構成する係止突部１３４と弾性係止片１３５のうち、図５に向かって左側に位置する係止突部１３４は、その係止突部１３４と基板嵌込部１３３の間にインタフェース基板１２２の一端部が斜めの状態で容易に差込できるように略円弧状をなして突出され突設されている。
【００３０】
また、図５に向かって右側に位置する弾性係止片１３５は、基板嵌込部１３３に対するインタフェース基板１２２の嵌込みを許容する方向に弾性変形しかつそのインタフェース基板１２２の他端部を係止するものであり、図１１に示すように、ベース部材１３０の周壁部１３２の側壁部１３２ａに切り込み状に形成されたスリット溝によってベース部材１３０の内外方向に弾性変形可能に形成されている。
また、図５の（Ｂ）に示すように、弾性係止片１３５には、インタフェース基板１２２の他端部を滑走させながら基板嵌込部１３３に嵌込み案内する傾斜面１３５ｂとインタフェース基板１２２の表面（実装面）の周縁部に係合する係止面１３５ｃとを備えて略三角形状をなす係止爪１３５ａが形成されている。
さらに、弾性係止片１３５の先端には、弾性係止片１３５を弾性変形させてインタフェース基板１２２に対する係止爪１３５ａの係合を外すための操作部１３６が一体に延出されている。
また、カバー部材１５０の周壁部１５２は、ベース部材１３０の周壁部１３２の外側に嵌込まれる大きさに形成され、カバー部材１５０の周壁部１５２によってベース部材１３０の弾性係止片１３５及び操作部１３６が覆われるように構成されている。
【００３１】
図５に示すように、ベース部材１３０の基板嵌込部１３３にインタフェース基板１２２が嵌込まれ、かつ基板係止部を構成する係止突部１３４と弾性係止片１３５によってインタフェース基板１２２が係止されるとともに、下皿用球誘導体１０１のボックス装着面１０２にベース部材１３０が装着された状態において、インタフェース基板１２２は、下皿用球誘導体１０１のボックス装着面１０２からベース部材１３０の周壁部１３２の略高さ寸法に相当する所定の距離Ｈを隔てている。
これによって、インタフェース基板１２２は、下皿用球誘導体１０１の球通路の球による静電気の影響から避けられるようになっている。言い換えると、下皿用球誘導体１０１の球通路の球による静電気の影響をインタフェース基板１２２が受けにくい所定の距離Ｈを隔てるように、ベース部材１３０の周壁部１３２の略高さ寸法が設定されている。
【００３２】
ベース部材１３０とカバー部材１５０との間の上下両縁部には、係脱可能に係合してベース部材１３０に対しカバー部材１５０を閉じ状態に保持する第１、第２の各閉止用係合部１４５、１５３及び１４７、１５６が合成樹脂材によってそれぞれの部材と一体成形されている。
この実施例において、図８と図１０に示すように、ベース部材１３０の周壁部１３２の下側壁１３２ｃの左右部には、舌片状の第１閉止用係合部１４５が下方に向けて突出されている。
また、図１０と図１１に示すように、ベース部材１３０の周壁部１３２の上側壁１３２ｄの略中央部には、外側に向けて弾性変形可能な左右一対の脚部１４７ａと、これら脚部１４７ａの先端部に跨る操作部１４９とを一体に備えて略Ｕ字状をなす第２閉止用係合部１４７が弾性変形可能に形成されている。そして、ベース部材１３０の周壁部１３２の上側壁１３２ａと第２閉止用係合部１４７の操作部１４９との間には、係合孔１４８が構成されている。
【００３３】
これに対し、図１０に示すように、カバー部材１５０の周壁部１５２の下側壁１５２ｃにはベース部材１３０の第１閉止用係合部１４５が差し込まれて係脱可能に係合する孔状の第１閉止用係合部１５３が形成されている。
また、図１１に示すように、カバー部材１５０の周壁部１５２の上側壁１５２ａには、ベース部材１３０の係合孔１４８に係脱可能に係合する第２閉止用係合部１５６が上方に向けて突出されている。
【００３４】
また、この実施例において、図２に示すように、下皿用球誘導体１０１のボックス装着面１０２に装着されたインタフェース基板１２２の基板ボックス１２０は、払出制御基板９６の払出制御基板ボックス９５の図２に向かって右側に接近（隣接）して配置されている。これによって、インタフェース基板１２２と払出制御基板９６とを短い接続線を用いて電気的に接続することができ、その接続線が他の部材、部品等に干渉する不具合を防止することができる。
また、図１０に示すように、インタフェース基板１２２の基板ボックス１２０の周壁部外面、この実施例では、カバー部材１５０の周壁部１５２の側壁１５２ｂの外側面には、インタフェース基板１２２と払出制御基板９６とを接続する多数の接続線を束ねた状態で配線保持するための係止フック１５９が一体に形成されている。
また、カバー部材１５０の蓋板部１５１には、インタフェース基板１２２上の配設された各種の基板コネクタ１２３、１２４、１２５を露出させる貫通孔が形成されている。
【００３５】
［本体枠の上隅部の基板装着部について］
図２、図１３及び図１４に示すように、本体枠２０の機構装着体７０の上隅部（図２において球タンク７１の右側に隣接する部分）には、段差状（階段状）をなす基板装着部が形成され、その上段縦壁部には、分電基板１６１に対応する第１基板装着部１６０が形成され、下段縦壁部には、外部端子基板１８５に対応する第２基板装着部１８０が形成されている。
【００３６】
［分電基板と基板ボックスについて］
図１３と図１４に示すように、第１基板装着部１６０には、外部電源を受けてその電源電力を電源基板ボックスの電源基板や遊技機に隣接して設置される図示しない球貸機にインタフェース基板１２２を介して分配供給する分電基板１６１が基板ボックス１６２に収納された状態で装着されている。
この実施例において、基板ボックス１６２は、透明または不透明な合成樹脂材よりなり、図１５に示すように、蓋板部１６３と段差状の周壁部１６４とを有して一側開口の段差箱形状に形成されている。
また、図１５と図１６に示すように、基板ボックス１６２の周壁部１６４は分電基板１６１が嵌込まれる大きさに形成されている。
基板ボックス１６２の周壁部１６４の四辺の壁部のうち、上下で対向する両側壁部１６４ａ、１６４ｂの内面には、分電基板１６１を係止する係止爪１６６が形成されている。そして、分電基板１６１は、基板ボックス１６２の周壁部１６４内に嵌込まれかつ係止爪１６６に係止されることで基板ボックス１６２内に収納されて保持されるようになっている。
【００３７】
また、図１６と図１７に示すように、基板ボックス１６２の周壁部１６４の四辺の壁部のうち、左右で対向する両側壁部１６４ｃ、１６４ｄの上下方向略中央部には、第１基板装着部１６０に形成された係合凹部に弾性的に係合する一対の弾性係止片１６７が形成されている。そして、分電基板１６１は、基板ボックス１６２に収納された状態で、同基板ボックス１６２の左右一対の弾性係止片１６７が第１基板装着部１６０の係合凹部に弾性的に係合されることによって、第１基板装着部１６０に装着されるようになっている。
【００３８】
また、図１５〜図１７に示すように、基板ボックス１６２の蓋板部１６３には、分電基板１６１の実装面に配設された各種コネクタ、例えば、外部電源用接続端子１６１ａ、分電用接続端子１６１ｂ等をそれぞれ露出するための貫通孔１６３ａ、１６３ｂが形成されている。
また、基板ボックス１６２の蓋板部１６３には、分電基板１６１の実装面に配設されたヒューズ１６１ｃ等の点検・交換等のための点検口が開口されている。そして、点検口には開閉蓋１６８がその一側の軸部１６８ａを支点として開閉可能に装着されている。
また、開閉蓋１６８の自由端側には点検口の他側縁に係脱可能に係合して開閉蓋１６８を閉じ状態に保持する係止爪１６８ｂを有する開閉操作用の操作部１６９が一体に形成されている。
【００３９】
［基板ボックスの接続線保持構造について］
図１３に示すように、基板ボックス１６２の周壁部１６４の外側部には、複数種類の接続線、例えば、電源線、信号線、アース線等の第１、第２の接続線（単線又は複線の）１７６、１８６をそれぞれ保持するための第１、第２の接続線保持部１７０、１８０が合成樹脂材によって基板ボックス１６２と一体に形成されている。
【００４０】
この実施例において、第１の接続線保持部１７０は、分電基板１６１を介してアースするために同分電基板１６１に接続された第１の接続線（アース線）１７６を挿通保持するためのもので、基板収納ボックス１６２の右側の側壁部１６４ｃ外面の上下部の複数箇所に形成されている。
すなわち、図１５〜図１７に示すように、上下複数の第１の接続線保持部１７０は、基板収納ボックス１６２の右側の側壁部１６４ｃ外面から横方向に突出されかつ上下方向（配線方向）に所定間隔を隔てる一対の支持片１７２と、これら一対の支持片１７２の先端に跨って一体に形成された連結部１７３と、その連結部１７３の中央部から後方に向けて一体に延出されかつ先端部の係止爪１７５ａを有する弾性抜止片１７５と、を一体に備えている。そして、これら一対の支持片１７２、連結部１７３及び弾性抜止片１７５の協働によって第１の接続線１７６を挿通状態で保持する接続線挿通部１７４が形成され、その接続線挿通部１７４には第１の接続線（アース線）１７６が挿通されて保持されるようになっている。
【００４１】
また、第２の接続線保持部１８０は、ガラス扉３０の開放を検出する検出器（図２に向かって左上部参照）７８と次に述べる外部端子基板１９５の接続端子（入力端子）１９６とを接続する第２の接続線１８６を挿通して保持するためのものであり、基板収納ボックス１６２の左側の側壁部１６４ｄ外面に上下部の複数箇所に形成されている。
すなわち、図１５〜図１７に示すように、上下複数の第２の接続線保持部１８０は、前記した第１の接続線保持部１７０と同様に構成されており、一対の支持片１８２、連結部１８２、及び先端部に係止爪１８５ａを有する弾性抜止片１８５と、を一体に備え、これら一対の支持片１８２、連結部１８２及び係止爪１８５ａ付きの弾性抜止片１８５の協働によって第２の接続線１８６を挿通状態で保持する接続線挿通部１８４が形成されている。
なお、ガラス扉３０の開放を検出する検出器７８は本体枠２０の上部（図２に向かって左上部）に配置され、本体枠２０の上部後側部には、第１の接続線１８６を配線保持する複数のフック７９が合成樹脂材によって本体枠２０と一体に形成されている（図２参照）。
【００４２】
［外部端子基板について］
図１４と図１５に示すように、下段の第２基板装着部１９０には、外部端子基板１９５が嵌込まれる基板嵌込部１９１が形成され、その基板嵌込部１９１の左右両側部には、外部端子基板１９５の実装面の両端部に係合する係止爪１９２、１９３が一体に形成されている。
そして、外部端子基板１９５は、基板嵌込部１９１に嵌込まれ、かつ係止爪１９２、１９３によって係止されることで第２基板装着部１９０に装着されるようになっている。また、両係止爪１９２、１９３のうち、一方の係止爪１９３には外部端子基板１９５との係合を外すための操作部１９４を有している。
なお、外部端子基板１９５の実装面上には、前記した第１の接続線１７６の端末部が接続される接続端子（入力端子）１９６が配設される他、周知のように、大当たり信号、扉開放信号、賞球信号等の信号をホールコンピュータに伝達するための、各種の信号に対応する複数の外部出力端子１９７が配設されている。
【００４３】
［この実施例に係る遊技機の作用効果について］
この実施例に係る遊技機は上述したように構成される。
したがって、ボックス装着部としての下皿用球誘導体１０１のボックス装着面１０２に対し、回路基板としてのインタフェース基板１２２を収納している基板ボックス１２０が
装着用係止手段を構成する弾性係止体１３９の係止部１４０と、係合体１１５の係合部１１６との係合力によって装着位置に保持される。
基板ボックス１２０が装着位置に保持された状態において、基板ボックス１２０の裏面を目視によって点検する場合、まず、図７に示すように、弾性係止体１３９の係止部１４０が係合体１１５の係合部１１６から外れる方向に操作部１４１を押し込み操作するという極めて簡単な操作によって、弾性係止体１３９が基板ボックス１２０の回動方向と交差する方向（図６において右方向）に容易に弾性変形され、これによって、弾性係止体１３９の係止部１４０と係合体１１５の係合部１１６との係合が容易に解除される。
この状態において、基板ボックス１２０を、ヒンジ機構のヒンジ軸１３８を中心として後方へ回動して任意の回動位置に配置することで、基板ボックス１２０の裏面を目視によって容易に点検することができる（図１２参照）。
【００４４】
また、この実施例においては、透明な基板ボックス１２０のベース部材１３０を透してインタフェース基板１２２の裏側を容易に視認して点検することもできる。
また、この実施例において、基板ボックス１２０は鉛直方向のヒンジピン１３８を中心として水平方向に回動可能に支持されるとともに、所望とする回動位置（開状態）で静止させることができる。このため、インタフェース基板１２２の裏側を、透明な基板ボックス１２０のベース部材１３０を透して視認中、基板ボックス１２０を継続して手で支える必要がなく点検が容易となる。
さらに、基板ボックス１２０を水平方向に回動して開閉する構造であるから、その裏側を後方あるいは側方から容易に視認することができる。ひいては、基板ボックス１２０が遊技機後側のいずれの高さ位置に配置されている場合においても、無理な姿勢を強いられることなくその裏側を容易に視認することができる。
【００４５】
前記したように回動位置に配置された基板ボックス１２０を、ボックス装着部としての下皿用球誘導体１０１のボックス装着面１０２に沿う元の装着位置に保持する場合、基板ボックス１２０をボックス装着面１０２に向けてヒンジ機構のヒンジピン１３８を中心として回動操作する。
図６に示すように、基板ボックス１２０の自由端側がボックス装着面１０２に近ずくと、まず、弾性係止体１３９が、その傾斜面において、係合体１１５の係合部１１６の先端部に接して滑走しながら基板ボックス１２０の回動方向と交差する方向に弾性変形する。
そして、図５に示すように、ボックス装着面１０２に沿う元の装着位置まで基板ボックス１２０が回動操作されることで、弾性係止体１３９が、係合体１１５の係合部１１６の先端部を通過する。すると、弾性係止体１３９が弾性復帰し、その係止部１４０が係合体１１５の係合部１１６に弾性的に係合する。
これによって、基板ボックス１２０がボックス装着面１０２に沿う元の装着位置に係止保持される。
前記したようにして、基板ボックス１２０をボックス装着面１０２に向けてヒンジ機構のヒンジピン１３８を中心として回動操作するという極めて簡単な操作によって、弾性係止体１３９の係止部１４０と係合体１１５の係合部１１６とが確実に係合し、その係合力によって、基板ボックス１２０を装着位置に保持することができる。
【００４６】
図５に示すように、ボックス装着面１０２に沿う装着位置に基板ボックス１２０が保持された状態において、基板ボックス１２０内のインタフェース基板（回路基板）１２２上に配設された基板コネクタ１２３、１２４、１２５に対し接続線の端末コネクタを抜き外すときなどにおいて、基板ボックス１２０に対し後方への外力が作用すると、その外力が弾性係止体１３９の係止部１４０と係合体１１５の係合部１１６との係合部分に作用する。
この際、弾性係止体１３９の係止部１４０が係合体１１５の係合部１１６に食い込む方向に弾性係止体１３９が変位しようとし、これによって、係合体１１５の係合部１１６から外れる方向への弾性係止体１３９の弾性変形が抑制される。この結果、弾性係止体１３９の係止部と係合体１１５の係合部１１６とを係合状態を保つことができ、基板ボックス１２０を装着位置に強固に保持することができる。
【００４７】
また、この実施例において、弾性係止体１３９は、基板ボックス１２０の周壁部のうちの自由端側に位置する側壁外面から片持ち梁状に一体に突設され、係合体１１５は、ボックス装着面１０２から後方に向けて一体に突設されている。
このため、弾性係止体１３９の係止部１４０と、係合体１１５の係合部１１６との係合を解除した後、基板ボックス１２０を、ヒンジ機構のヒンジ軸１３８を中心として後方へ回動する操作を片手操作で容易に行うことができる。
すなわち、ボックス装着面１０２に弾性係止体１３９を形成した場合には、一方の手で弾性係止体１３９の係止部１４０と係合体１１５の係合部１１６との係合を解除し、反対側の手で基板ボックス１２０を、ヒンジ機構のヒンジ軸１３８を中心として後方へ回動操作しなければならず、その作業が厄介となるが、前記したようにして、片手操作によって行うことができ、作業性の向上を図ることができる。
【００４８】
また、この実施例において、弾性係止体１３９は、その自由端の幅方向の両肩部に係止部１４０が形成され、幅方向の中央部に操作部１４１が一体に突出されている。このように弾性係止体１３９の自由端の幅方向の両肩部に係止部１４０が形成されることで、係合体１１５の係合部１１６に対し係合不良なく良好に係合させることができる。
また、弾性係止体１３９の自由端の幅方向の中央部に突出された操作部１４１によって、弾性係止体１３９の係止部１４０を係合体１１５の係合部１１６から外れる方向に容易に変位させることができ、係合解除の操作性に優れる。
【００４９】
また、この実施例において、係合体１１５は、弾性係止体１３９に対向してボックス装着面１０２から後方に向けて一体に突設された立ち壁部１１５ａと、その立ち壁部１１５ａの両側部から弾性係止体１３９の両側部を覆うようにして一体に形成された側壁部１１５ｂと、を備えている。このため、係合体１１５の両側壁部１１５ｂによって弾性係止体１３９の両側部を覆って保護することができ、弾性係止体１３９に異物が当たって損傷されたり、あるいは係合が外れることを防止することができる。
【００５０】
［この発明の他の実施例について］
なお、この発明は前記実施例に限定するものではない。
例えば、前記実施例において、弾性係止体１３９は、その自由端の幅方向の両肩部に係止部１４０が形成され、幅方向の中央部に操作部１４１が一体に突出される場合を例示したが、弾性係止体１３９は、その自由端の幅方向の中央部に係止部１４０を形成し、幅方向の両肩部に跨って略Ｕ字状をなす操作部１４１を一体に突出させてもよい。
また、前記実施例においては、ボックス装着面（ボックス装着部）１０２に対し、基板ボックス１２０の左右一側がヒンジ機構の鉛直方向のヒンジピン１３８を中心として水平方向に回動可能に支持される場合を例示したが、ボックス装着面（ボックス装部）１０２に対し、基板ボックス１２０の上縁部又は下縁部が横方向（水平方向）のヒンジピンを中心として上下方向に回動可能に支持される場合であってもこの発明を実施することができる。
また、前記実施例においては、インタフェース基板１２２を収納する基板ボックス１２０である場合を例示したが、その他、各種の制御基板、電源基板等の回路基板を収納する基板ボックスであってもこの発明を実施することができる。
【００５１】
また、前記実施例においては、基板ボックス１２０の周壁部のうちの自由端側に位置する側壁外面から弾性係止体１３９が片持ち梁状に一体に突設され、ボックス装着面１０２から係合体１１５が後方に向けて一体に突設される場合を例示したが、図１８に示すように、回路基板５２２を収納している基板ボックス５２０の周壁部のうち、自由端側に位置する側壁の外面に係合体５１５を突設する一方、ボックス装着面５０２から略Ｖ字状をなす弾性係止体５３９を一体に突設してもこの発明を実施することができる。
但し、この場合においても、基板ボックス５２０は、その一側において、ヒンジ機構のヒンジピン５３８を中心として回動可能に支持される。
さらに、弾性係止体５３９は、基板ボックス５２０の回動方向と交差する方向に撓み変形（弾性変形）可能に形成される。さらに、弾性係止体５３９の先端には、係合体５１５の係合部５１６に係合する係止部５４０が形成されるとともに、弾性係止体５３９の係止部５４０と、係合体５１５の係合部５１６との係合を解除する操作部５４１が一体に形成される。
すなわち、この発明において、装着用係止手段は、ヒンジ機構のヒンジ部を中心とする基板ボックスの回動方向と交差する方向に撓み変形する弾性係止体と、基板ボックスが回動位置から装着位置に回動されるときに弾性係止体を撓み変形させて通過させ、基板ボックスが装着位置に配置されたときに弾性係止体の復元を許容しかつその弾性係止体の係止部と前後に重なって係合する係合する係合体と、を備えた構造であればどのように構成しても実施可能である。
但し、基板ボックスに対する後方への外力が弾性係止体の係止部と係合体の係合部との係合部分に作用したときには、前後に重なって係合している弾性係止体の係止部と係合体の係合部とのうち、基板ボックスに設けられた一方の部分の後側が、ボックス装着部に設けられた他方の部分の前側に当接することで、弾性係止体の係止部が係合体の係合部から外れる方向への撓み変形を抑制して基板ボックスの回動位置への移動を禁止する構成にする。
【００５２】
また、前記実施例においては、前枠体２１、遊技盤装着枠５０及び機構装着体７０が合成樹脂材によって一体成形されることで本体枠２０が構成される場合を例示したが、前枠体２１、遊技盤装着枠５０及び機構装着体７０がそれぞれ別個の形成され、これら各部材が相互に組み付けられて構造であってもこの発明を実施することができる。
【図面の簡単な説明】
【００５３】
【図１】この発明の実施例に係る遊技機の外枠の一側に本体枠が開かれその本体枠の一側にガラス扉が開かれた状態で示す斜視図である。
【図２】同じく遊技機の本体枠に各種装置及び部材が装着された状態を斜め右上後方から示す斜視図である。
【図３】同じく下皿用球誘導体に基板ボックスが装着された状態で示す斜視図である。
【図４】同じく下皿用球誘導体に基板ボックスが装着された状態で示す正面図である。
【図５】同じく図５の（Ａ）は図４のＶ−Ｖ線に基づく平断面図、図５の（Ｂ）は図５の（Ａ）におけるＢ部の拡大図である。
【図６】同じく基板ボックスの弾性係止体が、その傾斜面において、係合体の係合部の先端部に接して滑走する状態を示す作用説明図である。
【図７】同じく基板ボックスの弾性係止体の操作部を押し込み操作して係合体の係合部との係合が解除された状態を示す作用説明図である。
【図８】同じく図４のＶＩＩＩ−ＶＩＩＩ線に基づく側断面図である。
【図９】同じく下皿用球誘導体と基板ボックスとを分離した状態で示す斜視図である。
【図１０】同じくインタフェース基板が装着された基板ボックスのベース部材とカバー部材とを分離した状態で示す斜視図である。
【図１１】同じく基板ボックスのベース部材、インタフェース基板及びカバー部材とを分離した状態で示す斜視図である。
【図１２】同じく下皿用球誘導体に対し基板ボックスがヒンジピンを中心として回動された状態で示す斜視図である。
【図１３】同じく本体枠の上隅部の第１、第２基板装着部に分電基板及び外部端子基板がそれぞれ装着された状態で示す斜視図である。
【図１４】同じく本体枠の上隅部の第１、第２基板装着部と分電基板及び外部端子基板が分離された状態で示す斜視図である。
【図１５】同じく分電基板と基板収納ボックスとを分離した状態で示す斜視図である。
【図１６】同じく分電基板が収納された基板収納ボックスを示す正面図である。
【図１７】同じく図１６のＸＶＩＩーＸＶＩＩに基づく基板収納ボックスの断面図である。
【図１８】基板ボックスに係合体が形成されボックス装着に弾性係止体が形成された実施態様を簡略化して示す説明図である。
【符号の説明】
【００５４】
１０  外枠
２０  本体枠
１０１  下皿用球誘導体（ボックス装着体）
１１５  係合体（装着用係止手段）
１１６  係合部
１２２  インタフェース基板（回路基板）
１２０  基板ボックス
１３０  ベース部材
１３４、１３５  基板係止部
１３７  ヒンジ体
１３８  ヒンジピン
１３９  弾性係止体（装着用係止手段）
１４０  係止部
１４１  操作部
１５０  カバー部材
【図１】
2005279261.tif 000003
【図２】
2005279261.tif 000004
【図３】
2005279261.tif 000005
【図４】
2005279261.tif 000006
【図５】
2005279261.tif 000007
【図６】
2005279261.tif 000008
【図７】
2005279261.tif 000009
【図８】
2005279261.tif 000010
【図９】
2005279261.tif 000011
【図１０】
2005279261.tif 000012
【図１１】
2005279261.tif 000013
【図１２】
2005279261.tif 000014
【図１３】
2005279261.tif 000015
【図１４】
2005279261.tif 000016
【図１５】
2005279261.tif 000017
【図１６】
2005279261.tif 000018
【図１７】
2005279261.tif 000019
【図１８】
2005279261.tif 000020